(57)【要約】【課題】あらかじめ登録された無線通信端末のうち、所定の範囲に存在していない無線通信端末があるかどうかを容易に判定する。【解決手段】無線通信端末から送信されてきた無線信号に含まれる端末識別情報を受信する通信部１１０と、所定の期間内に、あらかじめ登録された登録識別情報に含まれる端末識別情報を通信部１１０が受信したかどうかを判定する判定部１２０と、判定部１２０が、登録識別情報に含まれる端末識別情報を通信部１１０が受信していないと判定した場合、所定の通知を行う通知部１３０とを有する。【選択図】図１
2018129748.tif 000002
【特許請求の範囲】
【請求項１】
無線通信端末から送信されてきた無線信号に含まれる端末識別情報を受信する通信部と、
所定の期間内に、あらかじめ登録された登録識別情報に含まれる端末識別情報を前記通信部が受信したかどうかを判定する判定部と、
前記判定部が、前記登録識別情報に含まれる端末識別情報を前記通信部が受信していないと判定した場合、所定の通知を行う通知部とを有する通信装置。
【請求項２】
請求項１に記載の通信装置において、
前記通信部は、所定の要求信号を前記無線通信端末へ送信し、該送信した要求信号に対して前記無線通信端末から送信されてきた応答信号に含まれる前記端末識別情報を受信する通信装置。
【請求項３】
請求項１または請求項２に記載の通信装置において、
当該通信装置の外部からの操作に基づいて情報を入力する入力部と、
前記入力部が入力した前記登録識別情報を登録する登録部とを有する通信装置。
【請求項４】
請求項１から３のいずれか１項に記載の通信装置において、
前記通知部は、前記登録識別情報に含まれる端末識別情報を前記通信部が受信していない旨を表示する通信装置。
【請求項５】
請求項１から４のいずれか１項に記載の通信装置において、
前記通知部は、前記登録識別情報に含まれる端末識別情報を前記通信部が受信していない旨を示す信号を、あらかじめ設定された無線通信装置へ送信する通信装置。
【請求項６】
請求項１から５のいずれか１項に記載の通信装置において、
前記判定部は、前記登録識別情報に含まれない端末識別情報を前記通信部が受信したかどうかを判定し、
前記通知部は、前記判定部が、前記登録識別情報に含まれない端末識別情報を前記通信部が受信したと判定した場合、所定の通知を行う通信装置。
【請求項７】
無線通信端末から送信されてきた無線信号に含まれる端末識別情報を受信する処理と、
所定の期間内に、あらかじめ登録された登録識別情報に含まれる端末識別情報を受信したかどうかを判定する処理と、
前記登録識別情報に含まれる端末識別情報を受信していないと判定した場合、所定の通知を行う処理とを行う通知方法。
【請求項８】
コンピュータに、
無線通信端末から送信されてきた無線信号に含まれる端末識別情報を受信する手順と、
所定の期間内に、あらかじめ登録された登録識別情報に含まれる端末識別情報を受信したかどうかを判定する手順と、
前記登録識別情報に含まれる端末識別情報を受信していないと判定した場合、所定の通知を行う手順とを実行させるためのプログラム。
【発明の詳細な説明】
【技術分野】
【０００１】
本発明は、通信装置、通知方法およびプログラムに関する。
【背景技術】
【０００２】
一般的な通信システムにおいては、無線通信端末（通信機器）の接続を確認するために、パソコンやスマートフォン等の無線通信端末が、ルータ等の通信装置にアクセスし、その通信装置と接続している無線通信端末の一覧を取得して表示することが行われている。また、通信装置に対して接続が許可された無線通信端末以外からアクセスがあった場合、通信装置が無線通信端末へその旨を通知することが行われている。このように、ルータ等の通信装置は、インターネットなどへ接続するための管理を行うものである。
また、無線端末から送信されてきた通知信号内に、あらかじめ記憶されている識別情報が含まれているか否かに基づいて、所定の表示を行う無線通信装置が考えられている（例えば、特許文献１参照。）。
【先行技術文献】
【特許文献】
【０００３】
【特許文献１】特開２０１４−０６０６７２号公報
【発明の概要】
【発明が解決しようとする課題】
【０００４】
上述した技術においては、あらかじめ登録された無線通信端末のうち、所定の範囲に存在していない無線通信端末があるかどうかを判定することができないという問題点がある。
【０００５】
本発明の目的は、上記課題を解決する通信装置、通知方法およびプログラムを提供することにある。
【課題を解決するための手段】
【０００６】
本発明の通信装置は、
無線通信端末から送信されてきた無線信号に含まれる端末識別情報を受信する通信部と、
所定の期間内に、あらかじめ登録された登録識別情報に含まれる端末識別情報を前記通信部が受信したかどうかを判定する判定部と、
前記判定部が、前記登録識別情報に含まれる端末識別情報を前記通信部が受信していないと判定した場合、所定の通知を行う通知部とを有する。
また、本発明の通知方法は、
無線通信端末から送信されてきた無線信号に含まれる端末識別情報を受信する処理と、
所定の期間内に、あらかじめ登録された登録識別情報に含まれる端末識別情報を受信したかどうかを判定する処理と、
前記登録識別情報に含まれる端末識別情報を受信していないと判定した場合、所定の通知を行う処理とを行う。
また、本発明のプログラムは、
コンピュータに実行させるためのプログラムであって、
無線通信端末から送信されてきた無線信号に含まれる端末識別情報を受信する手順と、
所定の期間内に、あらかじめ登録された登録識別情報に含まれる端末識別情報を受信したかどうかを判定する手順と、
前記登録識別情報に含まれる端末識別情報を受信していないと判定した場合、所定の通知を行う手順とを実行させる。
【発明の効果】
【０００７】
以上説明したように、本発明においては、あらかじめ登録された無線通信端末のうち、所定の範囲に存在していない無線通信端末があるかどうかを判定することができる。
【図面の簡単な説明】
【０００８】
【図１】本発明の通信装置の第１の実施の形態を示す図である。
【図２】図１に示した通信装置における通知方法の一例を説明するためのフローチャートである。
【図３】本発明の通信装置の第２の実施の形態を示す図である。
【図４】図３に示した通信装置の内部構成の一例を示す図である。
【図５】図４に示した登録部が登録している登録識別情報の一例を示す図である。
【図６】図３に示した通信システムにおける通知方法のうち、図３に示した通信装置が、対象者が所持する通信端末の登録を行う処理の一例を説明するためのシーケンス図である。
【図７】図３に示した通信端末に表示される、初期画面の一例を示す図である。
【図８】図３に示した、管理者が所持する通信端末に表示される、設定画面の一例を示す図である。
【図９】対象者が所持する通信端末に表示された登録画面の一例を示す図である。
【図１０】図３に示した、管理者が所持する通信端末の表示部が表示している登録状況の一例を示す図である。
【図１１】図３に示した、管理者が所持する通信端末の表示部が表示している登録状況の他の例を示す図である。
【図１２】図３に示した通信システムにおける通知方法のうち、通信装置が、対象者が所持する通信端末の接続確認を行う処理の一例を説明するためのシーケンス図である。
【図１３】図３に示した、管理者が所持する通信端末の表示部が表示する通知の一例を示す図である。
【図１４】図３に示した、管理者が所持する通信端末の表示部が表示する電子メールの一例を示す図である。
【図１５】図３に示した、管理者が所持する通信端末に表示される、設定画面の他の例を示す図である。
【発明を実施するための形態】
【０００９】
以下に本発明の実施の形態について図面を参照して説明する。
（第１の実施の形態）
【００１０】
図１は、本発明の通信装置の第１の実施の形態を示す図である。
本形態における通信装置１００は図１に示すように、通信部１１０と、判定部１２０と、通知部１３０とを有する。なお、図１には、本発明の通信装置１００が具備する構成要素のうち、本実施の形態に関わる主要な構成要素の一例を示す。
【００１１】
通信部１１０は、無線通信端末から送信されてきた無線信号に含まれる端末識別情報を受信する。
判定部１２０は、所定の期間内に、あらかじめ登録された登録識別情報に含まれる端末識別情報を通信部１１０が受信したかどうかを判定する。
通知部１３０は、判定部１２０が、通信部１１０が、登録識別情報に含まれる端末識別情報を受信していないと判定した場合、所定の通知を行う。
【００１２】
以下に、図１に示した通信装置１００における通知方法について説明する。図２は、図１に示した通信装置１００における通知方法の一例を説明するためのフローチャートである。
まず、通信部１１０が、無線通信端末から送信されてきた無線信号に含まれる端末識別情報を受信すると（ステップＳ１）、判定部１２０は、所定の期間内に、あらかじめ登録された登録識別情報に含まれる端末識別情報を通信部１１０が受信したかどうかを判定する（ステップＳ２）。
判定部１２０が、通信部１１０が、登録識別情報に含まれる端末識別情報を受信していないと判定した場合、通知部１３０は所定の通知を行う（ステップＳ３）。
【００１３】
このように、通信装置１００は、あらかじめ登録された登録識別情報に含まれる端末識別情報を、設定された期間内に無線通信端末から受信しない場合、所定の通知を行う。このため、あらかじめ登録された無線通信端末のうち、所定の範囲に存在していない無線通信端末があるかどうかを判定することができる。
（第２の実施の形態）
【００１４】
図３は、本発明の通信装置の第２の実施の形態を示す図である。図３には、第２の実施の形態における通信装置１０１が適用される通信システムの一例を示している。
本通信システムは、通信装置１０１と、通信端末２０１−１〜２０１−４と、通信端末３０１とを有する。
通信端末２０１−１〜２０１−４は、対象者が所持する無線通信端末であって、通信端末２０１−１〜２０１−４それぞれ固有に付与され、通信端末２０１−１〜２０１−４を識別可能な端末識別情報を含む無線信号を通信装置１０１へ送信する。通信端末２０１−１〜２０１−４は、例えば、スマートフォン等の携帯端末である。通信端末２０１−１〜２０１−４は、端末識別情報を含む無線信号を所定のタイミング（例えば、所定の周期）で通信装置１０１へ送信するものであっても良い。また、通信端末２０１−１〜２０１−４は、通信装置１０１から送信されてきた要求信号に対する応答信号として、端末識別情報を含む無線信号を通信装置１０１へ送信するものであっても良い。なお、図３においては、通信端末２０１−１〜２−１−４の数が４である場合を例に挙げて示しているが、その数は限定しない。
通信端末３０１は、管理者が所持する無線通信端末であって、通信装置１０１から送信されてきた通知信号を出力する。この出力方法は、音声を用いたものであっても良いし、表示を用いたものであっても良い。通信端末３０１は、例えば、スマートフォン等の携帯端末であっても良いし、無線ＬＡＮ（Ｌｏｃａｌ  Ａｒｅａ  Ｎｅｔｗｏｒｋ）と接続されたＰＣ（Ｐｅｒｓｏｎａｌ  Ｃｏｍｐｕｔｅｒ）等の通信端末装置であっても良い。
【００１５】
図４は、図３に示した通信装置１０１の内部構成の一例を示す図である。
図３に示した通信装置１０１は図４に示すように、通信部１１１と、判定部１２１と、通知部１３１と、入力部１４１と、登録部１５１を有する。なお、図４には、図３に示した通信装置１０１が具備する構成要素のうち、本実施の形態に関わる主要な構成要素の一例を示す。通信装置１０１は、ルータであっても良いし、ＷｉＦｉ機能を利用したスマートフォン等の携帯端末であっても良い。
【００１６】
通信部１１１は、通信端末２０１−１〜２０１−４から送信されてきた無線信号に含まれる端末識別情報を受信する。また、通信部１１１は、所定の要求信号を通信端末２０１−１〜２０１−４へ送信し、送信した要求信号に対して通信端末２０１−１〜２０１−４から送信されてきた応答信号に含まれる端末識別情報を受信するものであっても良い。
入力部１４１は、通信装置１０１の外部からの操作に基づいて情報を入力する。入力部１４１は、キーボードや、マウス、タッチパネル等、あらゆる入力手段が適用されうる。また、入力部１４１は、通信部１１１を介して受信した情報を入力する。
登録部１５１は、入力部１４１が入力した端末識別情報を登録識別情報として登録するメモリ等の記憶手段である。
判定部１２１は、あらかじめ設定された期間内に、あらかじめ登録された登録識別情報に含まれる端末識別情報を通信部１１１が受信したかどうかを判定する。また、判定部１２１は、設定された期間を測定するタイマ（時計）を具備する。
通知部１３１は、判定部１２１が、登録識別情報に含まれる端末識別情報を通信部１１１が受信していないと判定した場合、所定の通知を行う。このとき、通知部１３１は、登録識別情報に含まれる端末識別情報を通信部１１１が受信していない旨を表示するものであっても良い。また、通知部１３１は、登録識別情報に含まれる端末識別情報を通信部１１１が受信していない旨を示す信号を、あらかじめ設定された無線通信装置である通信端末３０１へ送信するものであっても良い。
【００１７】
図５は、図４に示した登録部１５１が登録している登録識別情報の一例を示す図である。
図４に示した登録部１５１には図５に示すように、対象者が所持する通信端末２０１−１〜２０１−４それぞれにあらかじめ付与されている端末識別情報が登録識別情報として登録されている。ここで、通信端末２０１−１に付与されている端末識別情報を１００００００１とする。また、通信端末２０１−２に付与されている端末識別情報を２００００００２とする。また、通信端末２０１−３に付与されている端末識別情報を３００００００３とする。また、通信端末２０１−４に付与されている端末識別情報を４００００００４とする。また、通信端末２０１−１を所持する対象者の氏名をＡＡとする。また、通信端末２０１−２を所持する対象者の氏名をＢＢとする。また、通信端末２０１−３を所持する対象者の氏名をＣＣとする。また、通信端末２０１−４を所持する対象者の氏名をＤＤとする。図４に示した登録部１５１には図５に示すように、端末識別情報１００００００１と氏名ＡＡとが対応付けられて登録されている。また、端末識別情報２００００００２と氏名ＢＢとが対応付けられて登録されている。また、端末識別情報３００００００３と氏名ＣＣとが対応付けられて登録されている。また、端末識別情報４００００００４と氏名ＤＤとが対応付けられて登録されている。
【００１８】
以下に、図３に示した通信システムにおける通知方法について説明する。まずは、図３に示した通信装置１０１が通信端末２０１−１〜２０１−４の登録を行う処理について説明する。図６は、図３に示した通信システムにおける通知方法のうち、図３に示した通信装置１０１が通信端末２０１−１〜２０１−４の登録を行う処理の一例を説明するためのシーケンス図である。図６においては、通信装置１０１と通信端末２０１との間の処理について記載しているが、この「通信端末２０１」は図３に示した通信端末２０１−１〜２０１−４のそれぞれを示す。また、管理者が、通信端末３０１を用いて通信装置１０１に設定を行う場合を例に挙げて説明する。
まず、管理者が通信端末３０１を操作することで、通信端末３０１が管理者用のアプリケーションの設定を開始する（ステップＳ１１）。
【００１９】
図７は、図３に示した通信端末３０１に表示される、初期画面の一例を示す図である。
ここで、通信端末３０１に管理者用のアプリケーションをあらかじめインストールしておくことは言うまでもない。通信端末３０１が管理者用のアプリケーションを起動すると、通信端末３０１の表示部３１１は、初期画面を表示する。表示部３１１は、タッチパネル機能を具備したものであって、外部からの操作に基づいて、情報を入力する。管理者が図７に示した初期画面の「設定」ボタンを選択することで、通信端末３０１の設定が開始される。すると、表示部３１１が設定画面を表示する。
【００２０】
図８は、図３に示した通信端末３０１に表示される、設定画面の一例を示す図である。
図８に示すように、表示部３１１は、設定画面として、通知者、見つからない時間、認識不可時の通知間隔および登録ＩＤを含む画面を表示する。通知者の欄は、通知先の電子メールアドレスを入力する欄である。見つからない時間の欄は、どのくらいの期間、対象者の端末識別情報を受信しない場合に通知を行うかを入力する欄である。認識不可時の通知間隔の欄は、通信装置１０１が通信端末３０１へ通知を行う時間間隔を入力する欄である。登録ＩＤは、通信端末２０１−１〜２０１−４から送信された端末識別情報を受信するルータ等の通信装置１０１にあらかじめ付与された識別情報を入力する欄である。すべての欄に情報を入力後（ステップＳ１２）、「設定」ボタンが選択されると、入力された情報が通信端末３０１から登録ＩＤが付与された通信装置１０１へ送信され、通信装置１０１が内容を登録する。
【００２１】
その後、管理者が通信端末３０１の表示部３１１に表示された「登録受付」ボタンを操作して選択すると、対象者が所持する通信端末２０１−１〜２０１−４から通信装置１０１への登録が可能な状態となる。
【００２２】
対象者が所持する通信端末２０１−１〜２０１−４に登録アプリケーションをインストールし、起動する。すると通信端末２０１−１〜２０１−４は、登録用の画面を表示する。その後、対象者が、通信端末２０１−１〜２０１−４に表示された登録画面を操作して情報を入力する。
【００２３】
図９は、対象者が所持する通信端末２０１−１に表示された登録画面の一例を示す図である。図９に示すように、通信端末２０１−１の表示部２１１は、登録画面として、なまえおよび登録先ＩＤとを含む画面を表示する。なまえの欄は、通信端末２０１−１を所持する対象者の氏名等を入力する欄である。登録先ＩＤは、登録する通信装置１０１のＩＤ（Ｉｄｅｎｔｉｆｉｃａｔｉｏｎ）を入力するための欄である。この登録先ＩＤは、対象者が管理者からあらかじめ連絡を受けて取得しておくものである。さらに、端末識別情報を入力するための欄も表示されるものであっても良い。
【００２４】
対象者が、登録情報を入力して、表示部２１１が表示している「登録」ボタンを選択すると、入力された情報が通信端末２０１−１から登録先ＩＤが付与された通信装置１０１へ送信される（ステップＳ１３）。すると、通信装置１０１は送信されてきた情報を登録部１５１に登録して、登録処理が終了する（ステップＳ１４）。
【００２５】
なお、通信端末３０１は、通信端末２０１−１〜２０１−４の通信装置１０１に対する登録状況を表示するものであっても良い。
図１０は、図３に示した通信端末３０１の表示部３１１が表示している登録状況の一例を示す図である。図７に示した表示部３１１に表示された「登録受付」ボタンが選択された後、表示部３１１は、図１０に示すような登録状況の画面を表示する。この画面が表示されている間は、通信端末２０１−１〜２０１−４から通信装置１０１への登録が可能である。表示部３１１は、登録の受け付けを完了した人数を表示する等、登録状況を表示する。
【００２６】
その後、管理者が、通信端末３０１の表示部３１１に表示された「停止」ボタンを選択すると、通信端末２０１−１〜２０１−４から通信装置１０１への登録の受け付けが終了する。
図１１は、図３に示した通信端末３０１の表示部３１１が表示している登録状況の他の例を示す図である。管理者が、通信端末３０１の表示部３１１に表示された「停止」ボタンを選択すると、表示部３１１は、登録受付が完了した旨を表示する。そのとき、図１１に示すように、表示部３１１は、登録受付が完了した人数および氏名を表示するものであっても良い。また、表示部３１１は、登録受付を完了した通信端末２０１−１〜２０１−４の端末識別情報を表示するものであっても良い。また、通信端末３０１は、対象者の通信端末２０１−１〜２０１−４が起動しているアプリケーションに対して、登録完了の通知と、登録した人数と、登録した通信端末２０１−１〜２０１−４それぞれの端末識別情報とを通知（送信）するものであっても良い。
【００２７】
以下に、図３に示した通信装置１０１が通信端末２０１−１〜２０１−４の接続確認を行う処理について説明する。図１２は、図３に示した通信システムにおける通知方法のうち、通信装置１０１が通信端末２０１−１〜２０１−４の接続確認を行う処理の一例を説明するためのシーケンス図である。図１２においては、通信装置１０１と通信端末２０１との間の処理について記載しているが、この「通信端末２０１」は図３に示した通信端末２０１−１〜２０１−４のそれぞれを示す。また、通信装置１０１が通信端末２０１−１〜２０１−４に対して、所定の要求信号を送信し、通信端末２０１−１〜２０１−４がその要求信号に対して応答信号を送信するものを例に挙げて説明する。
【００２８】
まず、管理者が、通信端末３０１を操作することで、通信装置１０１の通信部１１１が所定の要求信号を送信する（ステップＳ２１）。この要求信号の送信のタイミングは、例えば、管理者が図７に示した表示部３１１に表示されている「確認」ボタンを選択したタイミングであっても良い。続いて、判定部１２１が、タイマを起動する（ステップＳ２２）。このタイマは、あらかじめ設定された時間で満了するものである。その時間は、通信端末３０１から設定・変更可能である。
また、要求信号を受信した通信端末２０１−１〜２０１−４は、要求信号に対する応答信号を通信装置１０１へ送信する（ステップＳ２３）。この応答信号には、通信端末２０１−１〜２０１−４それぞれに付与された端末識別情報が含まれている。
一方、通信装置１０１の判定部１２１は、起動したタイマが満了したかどうかを判定する（ステップＳ２４）。判定部１２１は、タイマが満了した後に、登録部１５１に登録されている端末識別情報（登録識別情報）とタイマ満了前に受信した応答信号に含まれる端末識別情報とを照合する（ステップＳ２５）。
判定部１２１が、登録識別情報に含まれる端末識別情報を受信していないと判定した場合、通知部１３１は、通信端末３０１へ所定の通知を行う（ステップＳ２６）。例えば、図３に示すように、通信端末２０１−４が、通信装置１０１から無線通信可能な範囲（距離）には存在せず、通信端末２０１−４から送信された無線信号（端末識別情報）を通信装置１０１が受信できない場合に、通知部１３１は通信端末３０１へ通知を行う。
【００２９】
図１３は、図３に示した通信端末３０１の表示部３１１が表示する通知の一例を示す図である。図１３に示すように、表示部３１１は、登録識別情報に含まれる端末識別情報を受信していない結果を表示する。
【００３０】
また、通知部１３１は、通信端末３０１への通知に電子メールを用いるものであっても良い。この電子メールのアドレスは、図８に示した設定画面で「通知者」に該当する項目で設定された電子メールアドレスである。
図１４は、図３に示した通信端末３０１の表示部３１１が表示する電子メールの一例を示す図である。図１４に示すように、登録部１５１に登録されたＸＸさんが、設定されたＸＸ分間見つからない旨を示す電子メールを表示部３１１が表示する。
【００３１】
なお、通信装置１０１から通信端末３０１への通知は、図８に示した設定画面で設定された時間間隔で行われる。
（変形例）
【００３２】
また、登録部１５１が登録している登録識別情報には含まれない端末識別情報を通信部１１１が受信した場合、通知部１３１が所定の通知を行うものであっても良い。
図１５は、図３に示した通信端末３０１に表示される、設定画面の他の例を示す図である。図１５に示すように、図８に示した設定画面に加えて、対象外入場アラームのチェックボックスが表示される。管理者がこのチェックボックスを選択して設定を行うと、通信装置１０１は、登録部１５１が登録している登録識別情報には含まれない端末識別情報を通信部１１１が受信した場合、通知部１３１が所定の通知を通信端末３０１に対して行う。つまり、通信装置１０１が設置されている位置から所定の範囲（敷地内）に、登録されていない通信端末の侵入があった際に、通信装置１０１が通信端末３０１へ通知を行うこととなる。
【００３３】
一般的に、バスツアーなど、初見にて参加者の確認を行う必要があり、搭乗していないまま、現地を移動してしまう場合などがある。これを避けるために、集団の確認を新規に実施する場合は、対象者に識別タグを保持してもらい、そのタグを読み取り装置が読み取って存在確認を行うことが考えられている。しかしながら、対象者が配布されたタグを保持しなければならなく、それを紛失するおそれもある。また、読み取り装置で収集したデータを集計するサーバーなども必要になる。
【００３４】
本形態においては、通信装置１０１が、対象者が所持する通信端末２０１−１〜２０１−４から送信された端末識別情報を受信したかどうかを、登録された登録識別情報と照合することで判定し、受信していない場合に管理者が所持する通信端末３０１へ通知を行う。そのため、所持することが一般的になっているスマートフォン等の携帯端末を利用することができ、タグの紛失を避けることができる。また、通信装置１０１であるルータもハードウェアとしては既存機能を利用することが可能であり、部品の追加なしで実現できるため、非常に安価な製品とすることができる。したがって、あらかじめ登録された無線通信端末のうち、所定の範囲に存在していない無線通信端末があるかどうかを容易に判定することができる。
【００３５】
以上、各構成要素に各機能（処理）それぞれを分担させて説明したが、この割り当ては上述したものに限定しない。また、構成要素の構成についても、上述した形態はあくまでも例であって、これに限定しない。
【００３６】
上述した通信装置１００，１０１それぞれに設けられた各構成要素が行う処理は、目的に応じてそれぞれ作製された論理回路で行うようにしても良い。また、処理内容を手順として記述したコンピュータプログラム（以下、プログラムと称する）を通信装置１００，１０１それぞれにて読取可能な記録媒体に記録し、この記録媒体に記録されたプログラムを通信装置１００，１０１それぞれに読み込ませ、実行するものであっても良い。通信装置１００，１０１それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃなどの移設可能な記録媒体の他、通信装置１００，１０１それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｃ  Ｄｒｉｖｅ）等を指す。この記録媒体に記録されたプログラムは、通信装置１００，１０１それぞれに設けられたＣＰＵにて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００３７】
１００，１０１    通信装置
１１０，１１１    通信部
１２０，１２１    判定部
１３０，１３１    通知部
１４１    入力部
１５１    登録部
２０１−１〜２０１−４，３０１    通信端末
２１１，３１１    表示部
【図１】
2018129748.tif 000003
【図２】
2018129748.tif 000004
【図３】
2018129748.tif 000005
【図４】
2018129748.tif 000006
【図５】
2018129748.tif 000007
【図６】
2018129748.tif 000008
【図７】
2018129748.tif 000009
【図８】
2018129748.tif 000010
【図９】
2018129748.tif 000011
【図１０】
2018129748.tif 000012
【図１１】
2018129748.tif 000013
【図１２】
2018129748.tif 000014
【図１３】
2018129748.tif 000015
【図１４】
2018129748.tif 000016
【図１５】
2018129748.tif 000017